(57)【要約】【課題】フィスカルユニットの封印を解除することなく、容易にメンテナンスを行うことができるフィスカルプリンターを提供する。【解決手段】フィスカルプリンター１１は、ケース本体１４内に、フィスカルメモリーが搭載されたフィスカル基板４４と、プリンター機構部１３と、プリンター機構部１３の動作を制御するプリンター制御部３１とを備え、プリンター制御部３１は、ケース本体１４内において封印された制御部封印領域Ｒ２に設けられ、フィスカル基板４４は、プリンター機構部１３及びプリンター制御部３１とは別のフィスカルユニット部４１内のフィスカル領域Ｒ３内に設けられ、フィスカルユニット部４１が封印されている。【選択図】図２
2012208767.tif 000002
【特許請求の範囲】
【請求項１】
フィスカルプリンターの筐体内に、フィスカルメモリーが搭載されたフィスカル基板と、プリンター機構部と、前記プリンター機構部の動作を制御するプリンター制御部とを備え、
前記プリンター制御部は、前記筐体内において封印された制御部封印領域に設けられ、
前記フィスカル基板は、前記プリンター機構部及び前記プリンター制御部とは別のフィスカルユニット部内に設けられ、前記フィスカルユニット部が封印されていることを特徴とするフィスカルプリンター。
【請求項２】
請求項１に記載のフィスカルプリンターであって、
前記フィスカルユニット部は前記制御部封印領域内に設けられていることを特徴とするフィスカルプリンター。
【請求項３】
請求項１に記載のフィスカルプリンターであって、
前記フィスカルユニット部は前記制御部封印領域外に設けられていることを特徴とするフィスカルプリンター。
【請求項４】
請求項１から３の何れか一項に記載のフィスカルプリンターであって、
前記フィスカルユニット部はカバーで覆われており、
前記カバーが封印されることにより前記フィスカルユニット部が封印されていることを特徴とするフィスカルプリンター。
【発明の詳細な説明】
【技術分野】
【０００１】
本発明は、売り上げ記録の改ざん防止機能を備えたフィスカルプリンターに関する。
【背景技術】
【０００２】
小売業などで用いられる会計用のプリンターには、フィスカルメモリー基板にフィスカルメモリーが実装されているものがある。このようなプリンターは、いわゆるフィスカルプリンターと呼ばれ、フィスカルメモリーに記憶されているフィスカルデータが容易に改ざんできないような構成とすることが法律（フィスカル法）で要求されている。
【０００３】
フィスカルプリンターの一例として、フィスカルユニットの回路基板の表面に、機密データを格納したＲＯＭがカバー内に封印されて設けられ、裏面に、機密データを処理する電子部品が実装されて封印樹脂によって封印されたものが知られている（例えば、特許文献１参照）。
【先行技術文献】
【特許文献】
【０００４】
【特許文献１】特開２００８−６４８６８号公報
【発明の概要】
【発明が解決しようとする課題】
【０００５】
ところで、上記プリンターは、フィスカルユニットを外してプリンター本体から抜かないと回路基板やインターフェース基板のプリンター制御部にアクセスすることができない構造となっている。すなわち、プリンター制御部のメンテナンスを行うためには、フィスカルユニットの封印を解除しなければならないため、容易にメンテナンスを行うことができなかった。
【０００６】
本発明の目的は、フィスカルユニットの封印を解除することなく、容易にプリンター制御部等のメンテナンスを行うことができるフィスカルプリンターを提供することにある。
【課題を解決するための手段】
【０００７】
上記課題を解決することのできる本発明に係るフィスカルプリンターは、フィスカルプリンターの筐体内に、フィスカルメモリーが搭載されたフィスカル基板と、プリンター機構部と、前記プリンター機構部の動作を制御するプリンター制御部とを備え、
前記プリンター制御部は、前記筐体内において封印された制御部封印領域に設けられ、
前記フィスカル基板は、前記プリンター機構部及び前記プリンター制御部とは別のフィスカルユニット部内に設けられ、前記フィスカルユニット部が封印されていることを特徴とする。
この構成によれば、封印されたフィスカルユニット部内にフィスカルメモリーが搭載されたフィスカル基板を設けることで、フィスカルメモリーの改ざん防止を図る構造とすることができる。このように、フィスカル基板をプリンター機構部及びプリンター制御部とは別に封印することにより、フィスカルユニット部の封印を解除することなく、プリンター機構部またはプリンター制御部のメンテナンスを行うことができる。また、制御部封印領域を形成してプリンター制御部を封印していることで不正にプリンターを動作させることも防止できる。
【０００８】
本発明のフィスカルプリンターにおいて、前記フィスカルユニット部は前記制御部封印領域内に設けられていることが好ましい。
この構成によれば、フィスカル基板が、フィスカルユニット部の封印と制御部封印領域の封印の二重構造で封印されているので、フィスカルメモリーの改ざんを厳重に防ぐことができる。
【０００９】
本発明のフィスカルプリンターにおいて、前記フィスカルユニット部は前記制御部封印領域外に設けられていることが好ましい。
この構成によれば、フィスカル基板とプリンター制御部をそれぞれ独立して封印しているので、必要に応じて何れか一方の封印を解除することでメンテナンス等を容易に実施することができる。
【００１０】
本発明のフィスカルプリンターにおいて、前記フィスカルユニット部はカバーで覆われており、
前記カバーが封印されることにより前記フィスカルユニット部が封印されていることが好ましい。
この構成によれば、フィスカル基板を樹脂モールドなどで直接封印せずに済む。また、フィスカルユニット部のカバーを封印することでフィスカルユニット部を容易に封印でき、フィスカル基板に損傷を与えずに封印解除や再封印を容易に行うことができる。
【図面の簡単な説明】
【００１１】
【図１】本発明に係るフィスカルプリンターの一実施形態の外観を示す斜視図である。
【図２】図１のフィスカルプリンターの内部構造を示す断面図である。
【図３】本発明に係るフィスカルプリンターの一実施形態の各部の配置を示す模式図である。
【図４】本発明に係るフィスカルプリンターの他の実施形態の各部の配置を示す模式図である。
【発明を実施するための形態】
【００１２】
以下、本発明に係るフィスカルプリンターの実施形態の例について図面を参照して説明する。
図１及び図２に示すフィスカルプリンター１１は、例えば、スーパーやコンビニエンスストア等が導入するＰＯＳシステムに適用されるプリンターである。フィスカルプリンター１１は、通信可能に接続された各ホストコンピューターから送られる印刷データに応じて、フィスカルレシートを印刷する。ホストコンピューターは、店舗内ＬＡＮを介して店舗内サーバーと接続されており、例えば、バーコード読み取り装置のような入力装置から入力された販売商品情報は店舗内サーバーに収集されるよう構成されている。店舗内サーバーは、収集された販売商品情報に基づき在庫管理を行う。収集された販売商品情報をマーケティング材料として用いることもできる。
【００１３】
フィスカルプリンター１１は、下ケース１４Ａと上ケース１４Ｂとからなるケース本体（筐体）１４によって覆われている。このケース本体１４は樹脂から成形されたものであり、上下方向の中間部には隔壁１０が設けられている。隔壁１０によって、ケース本体１４の内部が上部の機構部領域Ｒ１と下部の制御部封印領域Ｒ２とに区分けされている。
【００１４】
ケース本体１４の上部は、上部カバー１６及び前方カバー１７によって覆われており、上部カバー１６は、フィスカルプリンター１１の後方側における水平軸線を中心として回動可能とされている。この上部カバー１６を開くことにより、機構部領域Ｒ１が開放される。隔壁１０は、ケース本体１４に形成された固定片２０にねじ止めされて固定されており、これにより、制御部封印領域Ｒ２が封印されている。この隔壁１０のねじ止めは、特定のメンテナンス作業者のみが固定及び取り外しを行えるものであり、一般のユーザーは制御部封印領域Ｒ２の封印を解除することができないようになっている。
【００１５】
機構部領域Ｒ１には、サーマルヘッド１２を有するプリンター機構１３が収容されており、プリンター機構１３に設けられたロール紙収容部１５に記録紙Ｓが収容可能とされている。上部カバー１６を回動させることにより、ロール紙収容部１５が開閉される。上部カバー１６及び前方カバー１７の間には、排紙口１８が設けられており、この排紙口１８から、印刷された記録紙Ｓが排出される。
【００１６】
フィスカルプリンター１１の上部における一側部側には、オープンレバー２１が設けられており、このオープンレバー２１をスライドさせると、上部カバー１６をロックしているロック機構（図示省略）によるロックが解除され、上部カバー１６を開いてロール紙収容部１５を露出させることができるようになっている。また、フィスカルプリンター１１には、その前部に、押しボタンスイッチ等を備えた操作部２２が設けられ、上部における一側部側に、動作状況などを表示するＬＥＤ等の表示ランプを有するインジケーター部２３が設けられている。
【００１７】
フィスカルプリンター１１の前方側には、記録紙Ｓを切断するオートカッター２３が設けられており、前方カバー１７によって覆われている。上部カバー１６を開いた内部には、ロール紙収容部１５の下方側を形成する樹脂製のロール紙ホルダー２４が設けられている。
【００１８】
また、プリンター機構１３には、上部カバー１６を閉じた状態で、サーマルヘッド１２と対向するプラテンローラー２５が設けられており、このプラテンローラー２５は、駆動機構（図示省略）によって回転する。そして、このプラテンローラー２５が回転すると、記録紙Ｓはプラテンローラー２５とサーマルヘッド１２とに挟持されて紙送りされ、サーマルヘッド１２で印刷処理されて排紙口１８から排出される。そして、サーマルヘッド１２による印刷処理位置を通過した記録紙Ｓは、オートカッター２３によって切断される。
【００１９】
ケース本体１４の下方側の制御部封印領域Ｒ２には、制御基板からなるプリンター制御部３１が内蔵されている。このプリンター制御部３１は、オートカッター２３、サーマルヘッド１２及びプラテンローラー２５などを制御する各種の電子部品（図示省略）が搭載されている。
【００２０】
プリンター制御部３１は、隔壁１０における制御部封印領域Ｒ２側に設けられたステー３２にねじ３３によって固定されている。また、制御部封印領域Ｒ２には、フィスカルユニット部４１が設けられている。このフィスカルユニット部４１は、その内部がフィスカル領域Ｒ３とされており、このフィスカル領域Ｒ３にはフィスカル基板４４が内蔵されている。
【００２１】
フィスカルユニット部４１は、断面視Ｌ字状に形成されたフレーム４２を有している。このフレーム４２は、ケース本体１４の底板部１４ａに沿う底面板４３と、この底面板４３の端部から上方へ屈曲されて立設された側面板４４とを有した側面視Ｌ字状に形成されており、底面板４３がケース本体１４の底板部１４ａに固定されている。このフレーム４２の側面板４４の上端は、側方へ屈曲されて押圧片４５とされており、この押圧片４５に隔壁１０が当接されている。
【００２２】
フレーム４２の上方には、カバー５１が設けられており、このカバー５１によってフレーム４２の上方側が覆われている。そして、このフレーム４２とカバー５１とからフィスカル領域Ｒ３が形成されている。カバー５１の一端側には、係止片５２が形成されており、この係止片５２は、フレーム４２の側面板４４に形成された係止孔５３に挿し込まれて係止されている。
【００２３】
また、カバー５１の他端側には、上方側に凹部５５が形成されている。この凹部５５は、その底部５５ａがねじ５６によってフレーム４２の底面板４３に固定されたステー５７にねじ止めされ固定されている。これにより、カバー５１は、係止孔５３への係止片５２の係止及びねじ５６による凹部５５のステー５７への固定によってフレーム４２に確実に固定されている。これにより、フィスカルユニット部４１のフィスカル領域Ｒ３が封鎖された状態とされている。
【００２４】
ねじ５６によって固定される凹部５５には、封印用クリップ５８が嵌め込まれている。この封印用クリップ５８は、両側部に係止爪５９が形成されており、これらの係止爪５９が凹部５５の側壁に形成された窓部６０を係止する。これにより、封止用クリップ５８は、凹部５５に嵌め込まれた状態でカバー５１に取り付けられて、凹部５５が封印された状態とされている。また、カバー５１の上面には、封止用クリップ５８が嵌め込まれた凹部５５及びこの凹部５５の周囲を含む部分に、封止ラベル６３が貼り付けられて封印されている。
【００２５】
フィスカル領域Ｒ３に収容されたフィスカル基板４４は、ねじ６１によってフレーム４２に固定されたステー６２にねじ止めにより固定されている。このフィスカル基板４４には、例えば、フラッシュＲＯＭ等のメモリーが実装されており、このメモリーに、会計情報等のフィスカルデータが記録される。
【００２６】
フィスカルプリンター１１には、その後部に、表示部７１が設けられている。この表示部７１は、ケース本体１４の後部に立設された支柱７２と、この支柱７２の上端に設けられたディスプレイ７３とを有しており、ディスプレイ７３に販売商品名や販売金額等が表示される。
【００２７】
上記構造のフィスカルプリンター１１では、図３に模式図を示すように、プリンター制御部３１が、ケース本体１４内において封印された制御部封印領域Ｒ２に設けられ、フィスカル基板４４が、プリンター機構部１３が収容された機構部領域Ｒ１及びプリンター制御部３１が収容された制御部封印領域Ｒ２とは別のフィスカルユニット部４１のフィスカル領域Ｒ３内に設けられ、フィスカルユニット部４１が封印されている。
【００２８】
このように、封印されたフィスカルユニット部４１内にフィスカルデータが記録されるメモリーが搭載されたフィスカル基板４４を設けることで、フィスカルメモリーの改ざん防止を図る構造としている。フィスカル基板４４をプリンター機構部１３及びプリンター制御部３１とは別に封印することにより、フィスカルユニット部４１の封印を解除することなく、プリンター機構部１３またはプリンター制御部３１のメンテナンスを行うことができる。また、制御部封印領域Ｒ２を形成してプリンター制御部３１を封印していることで、プリンター制御部３１に不正にアクセスしてフィスカルプリンター１１を動作させることも防止できる。
【００２９】
特に、フィスカルユニット部４１が、制御部封印領域Ｒ２内に設けられ、フィスカル基板４４が、フィスカルユニット部４１の封印と制御部封印領域Ｒ２の封印の二重構造で封印されているので、フィスカルメモリーの改ざんを厳重に防ぐことができる。
【００３０】
また、フィスカルユニット部４１がカバー５１で覆われ、カバー５１を固定するねじ５６が封印用クリップ５８で覆われることにより、フィスカルユニット部４１が封印されているので、フィスカル基板４４を樹脂モールドなどで直接封印せずに済む。このように、フィスカルユニット部４１のカバー５１を封印することでフィスカルユニット部４１を容易に封印でき、フィスカル基板４４に損傷を与えずに封印解除や再封印を容易に行うことができる。
【００３１】
次に、プリンター制御部３１及びフィスカルユニット部４１の配置が上記実施形態と異なる他の実施形態のフィスカルプリンターについて説明する。
図４に模式図を示すように、このフィスカルプリンター１１では、プリンター制御部３１が、ケース本体１４内において封印された制御部封印領域Ｒ２に設けられ、フィスカル基板４４を有するフィスカルユニット部４１が、ケース本体１４内において封印されたフィスカル領域Ｒ３内に設けられている。
【００３２】
つまり、このフィスカルプリンター１１では、フィスカルユニット部４１を制御部封印領域Ｒ２外に設け、フィスカル基板４４とプリンター制御部３１とをそれぞれ独立して封印した構造となっている。
【００３３】
このような封印構造のフィスカルプリンター１１によれば、必要に応じてフィスカル基板４４を有するフィスカルユニット部４１及びプリンター制御部３１の何れか一方の封印を解除することで、それぞれのメンテナンス等を容易に実施することができる。
【符号の説明】
【００３４】
１１：フィスカルプリンター、１３：プリンター機構部、１４：ケース本体（筐体）、３１：プリンター制御部、４１：フィスカルユニット部、４４：フィスカル基板、５１：カバー、Ｒ２：制御部封印領域、Ｒ３：フィスカル領域
【図１】
2012208767.tif 000003
【図２】
2012208767.tif 000004
【図３】
2012208767.tif 000005
【図４】
2012208767.tif 000006